(57)【特許請求の範囲】
【請求項１】
支持管（１１４）を具備する型の石油化学精製反応器（１１２）用の交換可能な逆止デバイス（１１０）であって、前記支持管（１１４）が前記反応器（１１２）の一部に接続され、ボール（１１８）を含むカートリッジ（１１６）を内部に有し、前記カートリッジ（１１６）がプロセス流体用吸込孔（１２１）の周囲に、前記ボール（１１８）を収容するためのシート（１２２）と前記プロセス流体の流出用スロット（１２０）とを有する交換可能な逆止デバイス（１１０）において、前記カートリッジ（１１６）は前記支持管（１１４）に着脱自在に嵌挿され、
少なくとも１つの縦方向の開口（１２４）が前記支持管（１１４）に該支持管（１１４）の軸に沿って形成され、
前記少なくとも１つの縦方向の開口（１２４）は、前記支持管（１１４）の上端から形成された切れ目である
ことを特徴とする逆止デバイス。
【請求項２】
前記カートリッジ（１１６）は円筒形であることを特徴とする請求項１記載の逆止デバイス（１１０）。
【請求項３】
前記スロット（１２０）は前記カートリッジ（１１６）内の横方向に形成され、前記支持管（１１４）内の開口は前記スロット（１２０）に対応することを特徴とする請求項１記載の逆止デバイス（１１０）。
【請求項４】
前記シート（１２２）は前記カートリッジ（１１６）の前記反応器（１１２）側の部分に提供されることを特徴とする請求項１記載の逆止デバイス（１１０）。
【請求項５】
前記支持管（１１４）は垂直位置において前記反応器（１１２）の一部に溶接されることを特徴とする請求項１記載の逆止デバイス（１１０）。
【請求項６】
前記支持管（１１４）は前記反応器（１１２）の一部に機械的に固定されることを特徴とする請求項１記載の逆止デバイス（１１０）。
【請求項７】
前記少なくとも１つの縦方向の開口（１２４）は、前記カートリッジ（１１６）が収容される領域内に形成されることを特徴とする請求項１記載の逆止デバイス（１１０）。
【請求項８】
前記シート（１２２）は前記ボール（１１８）と共にシールを形成するように成形されることを特徴とする請求項１記載の逆止デバイス（１１０）。
【発明の詳細な説明】
【技術分野】
【０００１】
本発明は、石油化学精製反応器用の迅速に交換可能な逆止デバイスに関する。逆止弁として作用する円筒形デバイスは石油化学処理の一部において石油精製反応器内で使用される。これらのデバイスは、製品とデバイスの上流に配置される機器を損傷する虞れのある触媒中の任意の粒子との逆流を防止しつつ、精製処理が施された製品を一方向に流す。
【背景技術】
【０００２】
現在の技術用語では、これらの円筒形デバイスは、「立上がり管」と呼ばれる。
【０００３】
これらの動作は単純である。すなわち、各デバイスはプロセス流体流れの圧力によって押圧されるボールを収容する終端部を有し、流体が流出可能である半径方向のスロットが露出するまで軸方向に変位される。
【０００４】
任意の背圧は、適切な成形ハウジングの方向にボールを押圧し、それによってシールを形成して逆方向の流れを防止する。
【０００５】
ボールの軸方向及び半径方向の運動がハウジングに対する変形、侵食及び損傷を引き起こし、それによってデバイスが磨耗し場合によっては破損することは明らかであり、そのためオペレータはそれを交換しなくてはならない。
【０００６】
現時点では、これらのデバイスは垂直位置において反応器内で機械的に溶接されて固定される。溶接動作自体によって、プロセス残留物の形成と同様に、デバイスの除去に関する問題が発生し、そのため仕事の速度が遅くなり且つ著しく実行が困難になる。
【０００７】
従来例において、各逆止デバイスは２つ以上の部品で形成される。すなわち、反応器に溶接されて、ボールとハウジングの封止面とを含む円筒形カートリッジを内部に有する支持管である。
【特許文献１】国際公開（ＷＯ）２０００／０６０７０４号公報
【発明の開示】
【発明が解決しようとする課題】
【０００８】
実際、上述の通り、プロセス流体の個体残留物はカートリッジ及び支持管の接触面の間に侵入し、それによって事実上２つの部品を結合し、解体を非常に困難にする。つまり、オペレータは全デバイスを頻繁に交換しなくてはならず、これによって時間とコストが増大する。
【０００９】
従って、本発明の目的は、特に、装置の停止時間を制限することができる石油化学精製反応器用の迅速に交換可能な逆止デバイスを提供することによって上述の欠点を解決することである。
【００１０】
本発明の他の目的は、装置の停止時間を正確に予定できるように交換時期を保証することができる石油化学精製反応器用の迅速に交換可能な逆止デバイスを提供することである。
【００１１】
本発明の更なる目的は、特に、信頼性のある、単純で、機能的で且つ比較的低価格な石油化学精製反応器用の迅速に交換可能な逆止デバイスを提供することである。
【課題を解決するための手段】
【００１２】
本発明のこれらの目的及び他の目的は、特許請求の範囲１に記載される通り、石油化学精製反応器用の迅速に交換可能な逆止デバイスを提供することによって達成される。
【００１３】
石油化学精製反応器用の迅速に交換可能な逆止デバイスの更なる特徴は、前述の特許請求の範囲に記載される。
【発明を実施するための最良の形態】
【００１４】
本発明における石油化学精製反応器用の迅速に交換可能な逆止デバイスの特徴及び利点は、添付の概略的図面を参照して、一例として限定的な意図を含まずに提供される以下の説明によって、より明確にされるであろう。
【００１５】
従来技術では、図１を参照すると、石油化学精製反応器１２用の、全体を１０で示す逆止デバイスが示される。
【００１６】
逆止デバイス１０は反応器１２の一部に接続される支持管１４を有し、支持管１４内にはボール１８を含む円筒形カートリッジ１６が嵌挿される。
【００１７】
また、カートリッジ１６は、カートリッジ１６が挿入される支持管１４内の対応する開口を通過するプロセス流体の流出用の横方向のスロット２０を有する。
【００１８】
また、カートリッジ１６は、その下部のプロセス流体用吸込孔２１の周囲に、ボール１８を収容するためのシート２２を有する。
【００１９】
図１の例では、垂直位置において反応器１２の一部に支持管１４が溶接されることが分かる。あるいは、この支持管１４は機械的手段によって固定されることができる。
【００２０】
本発明において、図２は石油化学精製反応器１１２用の迅速に交換可能な逆止デバイス１１０を示し、図１に示される従来技術と同一及び／又は等価の構成要素は、同一の符号に１００を加えた符号で示すものとする。
【００２１】
逆止デバイス１１０は反応器１１２の一部に接続される支持管１１４を有し、支持管１１４内にはボール１１８を含む円筒形カートリッジ１１６が嵌挿される。
【００２２】
また、カートリッジ１１６は、カートリッジ１１６が挿入される支持管１１４内の対応する開口を通過するプロセス流体の流出用の横方向のスロット１２０を有する。
【００２３】
また、カートリッジ１１６は、その下部のプロセス流体用吸込孔１２１の周囲に、ボール１１８を収容するためのシート１２２を有する。
【００２４】
図２の例では、垂直位置において反応器１１２の一部に支持管１１４が溶接されることが分かる。あるいは、この支持管１１４は機械的手段によって固定されることができる。
【００２５】
カートリッジ１１６は着脱可能な方法で支持管１１４内に位置決めされる。この位置決めは、カートリッジ１１６を収容する領域において有意な程度の変形性及び弾性を有する支持管１１４を提供すること、あるいは、カートリッジ１１６と支持管１１４との間のカップリングに対して円錐形等の特別な幾何学的形状を提供することによって実現され、カートリッジの抽出を容易にする。
【００２６】
この抽出は、適した材料、熱処理、ストック除去による機械加工、又は可塑性処理によって容易に実行されうる。
【００２７】
一例として限定的な意図を含まずに、図２は、カートリッジ１１６を収容する領域内において、支持管１１４内に少なくとも１つの縦方向の開口１２４が形成される状態を示す。例えば、これらの縦方向の開口１２４は、支持管１１４の軸に沿って形成された被加工切れ目であっても良い。より正確には、これらの被加工切れ目は、この支持管１１４の上端から形成される。
【００２８】
また、テーパ座金１２６はカートリッジ１１６を支持管１１４に固定するために具備されている。
【００２９】
本発明における石油化学精製反応器用の迅速に交換可能な逆止デバイス１１０の動作は、図面を参照して提供された上述の説明によって明らかにされ、以下に簡潔に示される。
【００３０】
ボール１１８は、吸込孔１２１を介して流入するプロセス流体流れの圧力によって押圧され、流体が流出するスロット１２０が露出するまで軸方向に変位される。
【００３１】
一部の背圧は適切に形成されるシート１２２の方向にボール１１８を押圧し、それによって、これらの構成要素がシールを形成してプロセス流体の逆流を防止することができる。
【００３２】
逆止デバイス１１０、特にシート１２２が損傷を受けた場合、カートリッジ１１６はデバイス１１０を良好な作動状態に戻すために交換される。
【００３３】
カートリッジ１１６の交換は、カートリッジ１１６の除去中に上部を拡張できるように管１１４に弾性を与える管１１４の開口１２４によって迅速に且つ容易に実行される。
【００３４】
損傷を受けたカートリッジ１１６が除去されて新規のカートリッジ１１６と交換された場合、テーパ座金１２６は新規のデバイス１１０を固定して、支持管１１４と新規のカートリッジ１１６との間の適切な接着を保証する。
【００３５】
本発明における石油化学精製反応器用の迅速に交換可能な逆止デバイスの特徴及びその利点は、以上の説明から明らかである。
【００３６】
以下の記述及び解説は、最後に、前述の利点をより正確に且つ明らかに定義するために提供される。
【００３７】
まず、明らかに支持管が偶発的な損傷を受けた場合を除き、カートリッジが損傷を受けた場合、本発明の逆止デバイスの全体が交換される必要はない、という点に注意すべきである。
【００３８】
従って、逆止デバイスの交換時間は短縮される。
【００３９】
交換時間を保証する利点と、それによって装置の停止時間を正確に予定する可能性も、強調されるべきである。
【００４０】
更に、本発明の逆止デバイスを使用することにより、迅速な交換によって反応器が逆止デバイスと共に常に最適な状態で動作することが保証される。
【００４１】
最後に、従来技術に対して、本発明の逆止デバイスを使用することによって実現される単純性及び確実性と、低い製造コストとを指摘する。
【００４２】
記載された通りに設計された石油化学精製反応器用の迅速に交換可能な逆止デバイスは、本発明の範囲を逸脱せず様々な方法で変形及び変更できることは明白である。また、全ての構成要素は技術的に等価な要素と交換することができる。実際、使用される材料とそれらの形態及び大きさとは技術的必要条件に応じて意図通りに選択可能である。
【００４３】
従って、本発明の保護範囲は前記の特許請求の範囲によって明確に記述される。
【図面の簡単な説明】
【００４４】
【図１】従来技術における石油化学精製反応器用の逆止デバイスの側面図。
【図２】本発明における石油化学精製反応器用の迅速に交換可能な逆止デバイスの分解断面図。
【符号の説明】
【００４５】
１１０…逆止デバイス、１１２…石油化学精製反応器、１１４…支持管、１１６…カートリッジ、１１８…ボール、１２０…スロット、１２１…吸込孔、１２２…シート
【図１】
0004537852.tif 000002
【図２】
0004537852.tif 000003